【手続補正書】
【提出日】平成26年6月4日(2014.6.4)
【手続補正１】
【補正対象書類名】明細書
【補正対象項目名】０００３
【補正方法】変更
【補正の内容】
【０００３】
機器間のデジタル映像インタフェースとして、非特許文献２記載のＨＤＭＩ（High-Definition multimedia Interface）がある。このＨＤＭＩにおいて、ＨＤＭＩケーブル内の線を使って機器間の通信仕様として、ＣＥＣ（Consumer Electronics Control）が決められている。ＣＥＣ仕様の中で、接続機器の制御情報や機器情報を伝えるＣＥＣメッセージを利用して、機器間の制御を行う例が特許文献２に記載されている。
【手続補正２】
【補正対象書類名】明細書
【補正対象項目名】００１８
【補正方法】変更
【補正の内容】
【００１８】
図１は、本発明に係る映像表示システム１の構成を示すブロック図である。図１におい
て、映像伝送装置１５は、無線送信ユニット１２と無線受信ユニット１３から構成され、映像信号源１１が出力する映像信号を、映像表示装置１４へ伝送する。
【手続補正３】
【補正対象書類名】明細書
【補正対象項目名】００１９
【補正方法】変更
【補正の内容】
【００１９】
まず、映像信号の流れを説明する。映像信号源１１は、映像音声信号生成部１１６で生成された映像信号に映像信号処理部１１５で所定のスケーリング処理や画質向上信号処理を施した後、ＴＭＤＳ送信部１１４から無線送信ユニット１２のＴＭＤＳ受信部１２４へ線路１０３を経由して伝送される。ＴＭＤＳ受信部１２４の出力は映像圧縮部１２６で符号化されて映像データ量を圧縮した後、無線送信部１２７から無線受信ユニット１３の無線受信部１３６へ電波１０４で伝送される。
【手続補正４】
【補正対象書類名】明細書
【補正対象項目名】００２１
【補正方法】変更
【補正の内容】
【００２１】
ＥＤＩＤ読込部１１３と１３３は、それぞれ、無線送信ユニット１２と映像表示装置１４の仕様を示すデータが保存されているＥＤＩＤ格納部１２３と１４３のデータを、線路１０２と１０６を介して読み出すものである。この仕組みにより、映像信号源１１と無線受信ユニット１３は、それぞれ所定の無線送信部１２と映像表示装置１４が直接接続されていることがわかる。この後、映像信号源１１と無線受信ユニット１３がそれぞれ、線路１０１と１０５を通じ、ＣＥＣメッセージ交換機能１１１と１２１、１３１、１４１を用いて無線送信部１２や映像表示装置１４に、所定の映像信号源１１と無線受信ユニット１３が接続されていることを知らせ、所定の映像信号源１１と映像伝送装置１５、映像表示装置１４が直接接続された、特別なシステム接続構成であることを認識する。この認識が成立すると、映像信号源１１の映像処理部１１５は映像圧縮効率が上がる様な前処理を担当し、映像表示装置１４の映像処理部１４５が映像圧縮に特有な、例えばモスキートノイズなどの抑圧を行い、総合的な高画質を提供することができる。
【手続補正５】
【補正対象書類名】明細書
【補正対象項目名】００２２
【補正方法】変更
【補正の内容】
【００２２】
図２は、上記実施形態における、映像信号源１１と無線送信ユニット１２、無線受信ユニット１３．映像表示装置１４の間の制御シーケンスを示した図である。図３は左側に無線送信ユニット１２（図３ではＴｘと略表示する）の状態遷移を、右側に無線受信ユニット１３（図３ではＲｘと略表記する）の状態遷移を示した図である。
【手続補正６】
【補正対象書類名】明細書
【補正対象項目名】００２３
【補正方法】変更
【補正の内容】
【００２３】
以下、図１の実施形態における特別なシステム接続構成の把握動作を、図２の制御シーケンス図と図３の状態遷移図を併用して以下に説明する。
【手続補正７】
【補正対象書類名】明細書
【補正対象項目名】００２５
【補正方法】変更
【補正の内容】
【００２５】
無線受信ユニット１３は、電源オン直後は第二のレジスタ１３８をリセットし（図３の３２１）、ＤＤＣ＋５Ｖを映像表示装置１４へ供給する（図２の２２１、図３の３２２）。映像表示装置１４が示すＨＰＤ＝“Ｈ”への変化を検知して、ＥＤＩＤ読込部１３３は映像表示装置１４のＥＤＩＤ格納部１４３からデータを読込み（図２の２２３、図３の３２３）、所定の映像表示装置と判断されると第二のレジスタ１３８をセットする（図３の３２４）。
【手続補正８】
【補正対象書類名】明細書
【補正対象項目名】００２８
【補正方法】変更
【補正の内容】
【００２８】
尚、映像伝送装置１５が電源ＯＮされた時に、映像信号源１１の電源が入っていない場合は、ＤＤＣ＋５Ｖは供給されず、接続形態は不明状態が続く。これを避けるために、電源オフ直前のレジスタ１２８の状態を記憶するよう、不揮発性メモリを使っている。
【手続補正９】
【補正対象書類名】明細書
【補正対象項目名】００３６
【補正方法】変更
【補正の内容】
【００３６】
以上、述べたように、所定の映像信号源と映像伝送装置、映像表示装置の組合せの場合にのみＣＥＣ命令を転送する映像伝送装置が、余分なＣＥＣメッセージを誤って送信するケースを抑えることができる。
【手続補正１０】
【補正対象書類名】明細書
【補正対象項目名】００３７
【補正方法】変更
【補正の内容】
【００３７】
本発明の第三の実施例によるシステムブロック図を図５に示す。図１と同じ構成物には同じ番号を付与しており、１６は音声処理機能付映像伝送装置である。音声処理機能付映像伝送装置１６には、音声処理１６７や、スピーカ１６８等が接続されている。所定の映像信号源と映像伝送装置、映像表示装置の直接接続を検出した上で、あらかじめ決められた操作手順に基づき、直接接続装置間の連係動作を実現するものである。
【手続補正１１】
【補正対象書類名】特許請求の範囲
【補正対象項目名】全文
【補正方法】変更
【補正の内容】
【特許請求の範囲】
【請求項１】
非圧縮映像信号を伝送するHDMI ( High-Definition Multimedia Interface )を介して伝送装置、映像信号源及び映像受信装置が接続されている映像伝送システムにおいて、
前記伝送装置が前記映像信号源及び前記映像受信装置がメッセージを送受信する機能を有しているか否かを確認し、前記映像信号源及び前記映像受信装置が共に前記メッセージを送受信する機能を有する装置である場合には、前記映像信号源と前記映像受信装置との間で前記メッセージを送受信する機能を使用可能とし、
前記映像受信装置が示すHPD ( Hot Plug Detect ) 信号が “L” レベルに設定されると、前記映像信号源と前記映像受信装置との間の前記メッセージを送受信する機能が停止されることを特徴とする映像伝送システム。
【請求項２】
請求項１の映像伝送システムであって、
前記伝送装置は、前記映像信号源から送信されるメッセージに基づいて、前記映像信号源が前記メッセージを送受信する機能を有することを確認することを特徴とする映像伝送システム。
【請求項３】
請求項１または２の映像伝送システムであって、
前記伝送装置は、前記映像受信装置に格納されている前記映像受信装置の機能を示す情報を読み出すことにより、前記映像受信装置が前記メッセージを送受信する機能を有することを確認することを特徴とする映像伝送システム。
【請求項４】
非圧縮映像信号を伝送するHDMI ( High-Definition Multimedia Interface )を介して伝送装置、映像信号源及び映像受信装置が接続されたシステムにおける映像信号を伝送する映像伝送方法であって、
前記伝送装置が前記映像信号源及び前記映像受信装置の機能を確認し、前記映像信号源及び前記映像受信装置がメッセージを送受信する機能を有する場合には、前記映像信号源が出すメッセージを前記映像受信装置へ伝送し、前記映像受信装置が出すメッセージを前記映像信号源へ伝送し、
前記映像受信装置が示すHPD ( Hot Plug Detect ) 信号が “L” レベルに設定されると、前記映像信号源と前記映像受信装置との間の前記メッセージを送受信する機能が停止されることを特徴とする映像伝送方法。